(57)【要約】【課題】表示パネルの情報表示機能や操作性を低下させることなく、表示パネルの省電力化を有効に発揮できる画像形成装置を提供する。【解決手段】消費電力の相対的に少ない小形の第１表示パネル１５１と、消費電力の相対的に多い大形の第２表示パネル１５２のＯＮ／ＯＦＦを選択制御する制御手段１１とを備え、前記制御手段１１は、通常動作モードでは、第２表示パネル１５１をＯＦＦにする一方、第１表示パネル１５２のみをＯＮにして表示可能とし、詳細表示モードでは、第１表示パネル１５１をＯＦＦにする一方、第２表示パネル１５２をＯＮにして設定内容の詳細確認や変更操作等が行える状態とし、休止モードでは、第１および第２表示パネル１５１，１５２の両方をＯＦＦにするように制御する。【選択図】  図６
2010164781.tif 000002
【特許請求の範囲】
【請求項１】
消費電力の相対的に少ない小形の第１表示パネルと、
消費電力の相対的に多い大形の第２表示パネルと、
前記表示パネルの表示モードに応じて両表示パネルのＯＮ／ＯＦＦを選択制御するとともに、表示モードが通常動作モードの場合は、第１表示パネルをＯＮにする一方、第２表示パネルをＯＦＦにし、多くの情報を表示する必要のある詳細表示モードの場合は、第１表示パネルをＯＦＦにする一方、第２表示パネルをＯＮにし、休止モードの場合は、第１および第２表示パネルの両方をＯＦＦにする制御手段と、
を備えたことを特徴とする画像形成装置。
【請求項２】
第２表示パネル制御ボタンを備え、
前記制御手段は、前記通常動作モードまたは休止モードにおいて、前記第２表示パネル制御ボタンが押下された際には、第２表示パネルをＯＮにして詳細表示モードに移行させる請求項１に記載の画像形成装置。
【請求項３】
モード切替え操作ボタンを備え、
前記制御手段は、通常動作モードで前記モード切替え操作ボタンが操作された際には、コピーモード、ファックスモード、スキャンモードおよびボックス保存モードの各モードを切替える請求項１または２に記載の画像形成装置。
【請求項４】
パワーセーブ操作ボタンを備え、
前記制御手段は、通常動作モードで前記パワーセーブ操作ボタンが操作された時、または一定期間使用しない状態が継続した時には、休止モードに移行させる請求項１〜３のいずれかに記載の画像形成装置。
【請求項５】
原稿台と、原稿台にセットされた原稿の画像を読み取る読み取り手段とを備え、
前記制御手段は、休止モードにおいて前記原稿台に原稿がセットされた際には、通常動作モードに移行させる請求項１〜４のいずれかに記載の画像形成装置。
【請求項６】
前記第１表示パネルは、ドットマトリックスモノクロ液晶パネルで構成される一方、前記第２表示パネルは、大形の液晶カラータッチパネルで構成されている請求項１〜５のいずれかに記載の画像形成装置。
【請求項７】
消費電力の相対的に少ない小形の第１表示パネルと、消費電力の相対的に多い大形の第２表示パネルと、を備えた画像形成装置が実行する表示制御方法であって、
前記表示パネルの表示モードに応じて両表示パネルのＯＮ／ＯＦＦを選択制御するとともに、表示モードが通常動作モードの場合は、第１表示パネルをＯＮにする一方、第２表示パネルをＯＦＦにし、多くの情報を表示する必要のある詳細表示モードの場合は、第１表示パネルをＯＦＦにする一方、第２表示パネルをＯＮにし、休止モードの場合は、第１および第２表示パネルの両方をＯＦＦにすることを特徴とする画像形成装置の表示制御方法。
【請求項８】
消費電力の相対的に少ない小形の第１表示パネルと、消費電力の相対的に多い大形の第２表示パネルと、を備えた画像形成装置のＣＰＵに実行させるための表示制御プログラムであって、
前記表示パネルの表示モードに応じて両表示パネルのＯＮ／ＯＦＦを選択制御するとともに、表示モードが通常動作モードの場合は、第１表示パネルをＯＮにする一方、第２表示パネルをＯＦＦにし、多くの情報を表示する必要のある詳細表示モードの場合は、第１表示パネルをＯＦＦにする一方、第２表示パネルをＯＮにし、休止モードの場合は、第１および第２表示パネルの両方をＯＦＦにするステップを、画像形成装置のＣＰＵに実行させるための表示制御プログラム。
【発明の詳細な説明】
【技術分野】
【０００１】
この発明は、複数の表示パネルを備えた画像形成装置及び同装置の表示制御方法並びに表示制御プログラムに関する。
【背景技術】
【０００２】
従来、コピー機能、プリンタ機能、ファクシミリ（ＦＡＸ）機能、スキャン機能等の複数の機能を備えた多機能デジタル複合機であるＭＦＰ（Multi Function Peripherals)等の画像形成装置においては、多機能化に伴い操作パネル部の表示パネルを使って設定できる項目が多くなり、操作性の良いタッチパネル式の大形カラー液晶（ＬＣＤ）で構成されたものが主流になってきており、それに伴って装置の消費電力が大きくなってきている。
【０００３】
そのため、画像形成装置におけるパワーセーブモード時には、操作パネル部の表示パネルによる表示を消灯するようにしたものが案出されている。例えば、ネットワークの印刷時には表示パネルに表示を行わずに印刷できるようにしたものがある。
【０００４】
しかし、コピーやファックス、スキャンモードの場合には、パワーセーブモードから必ず復帰して設定内容等を表示パネルに表示させてるようになっており、設定を変更しない単純なコピー操作の場合にも表示しているため、最大限の省電力化が図られてはいなかった。
【０００５】
また、最近のＭＦＰでは、プリンタモデルに原稿読み取り装置等を追加装着してＭＦＰモデルにすることがある。その場合、プリンタモデルでは、表示専用の低消費電力の表示パネルが使用されることが多いが、ＭＦＰモデルでは各種の設定を行うことができる操作パネルが必要となる。このため、低消費電力の表示パネルに加えて、大型のタッチパネル式表示パネルが追加されることが多く、どうしても消費電力が大きくなってしまう。
【０００６】
ところで、従来、操作パネル部における表示パネルを２分割に構成し、各表示パネルに操作情報を表示する表示部とタッチパネルを備えた操作手段を設け、所定時間操作されていない時には省電力モードに移行し、操作手段が操作されると通常電力モードに移行させるようにし、省電力モードの時には操作されたタッチパネル以外の他のタッチパネルへの給電を停止させて、節電を行う技術が提案されている（例えば、特許文献１参照）。
【先行技術文献】
【特許文献】
【０００７】
【特許文献１】特開２００８−１０７４２９号公報
【発明の概要】
【発明が解決しようとする課題】
【０００８】
しかし、上記した従来の公知技術においては、基本的に表示パネルを２つに分割し、例えば、一方の表示パネルは「コピー」、他方の表示パネルは「ファックス」といった機能毎に表示を分担させているだけであるから、有効な省電力が期待できない。
【０００９】
この発明は、上記実情に鑑みてなされたもので、表示パネルの情報表示機能や操作性を低下させることなく、効果的に省電力化を図ることができる画像形成装置及び同装置の表示制御方法並びに表示制御プログラムを提供することを課題としている。
【課題を解決するための手段】
【００１０】
上記課題は、以下の手段によって解決される。
（１）消費電力の相対的に少ない小形の第１表示パネルと、消費電力の相対的に多い大形の第２表示パネルと、前記表示パネルの表示モードに応じて両表示パネルのＯＮ／ＯＦＦを選択制御するとともに、表示モードが通常動作モードの場合は、第１表示パネルをＯＮにする一方、第２表示パネルをＯＦＦにし、多くの情報を表示する必要のある詳細表示モードの場合は、第１表示パネルをＯＦＦにする一方、第２表示パネルをＯＮにし、休止モードの場合は、第１および第２表示パネルの両方をＯＦＦにする制御手段と、を備えたことを特徴とする画像形成装置。
（２）第２表示パネル制御ボタンを備え、前記制御手段は、前記通常動作モードまたは休止モードにおいて、前記第２表示パネル制御ボタンが押下された際には、第２表示パネルをＯＮにして詳細表示モードに移行させる請求項１に記載の画像形成装置。
（３）モード切替え操作ボタンを備え、前記制御手段は、通常動作モードで前記モード切替え操作ボタンが操作された際には、コピーモード、ファックスモード、スキャンモードおよびボックス保存モードの各モードを切替える請求項１または２に記載の画像形成装置。
（４）パワーセーブ操作ボタンを備え、前記制御手段は、通常動作モードで前記パワーセーブ操作ボタンが操作された時、または一定期間使用しない状態が継続した時には、休止モードに移行させる前項１〜３のいずれかに記載の画像形成装置。
（５）原稿台と、原稿台にセットされた原稿の画像を読み取る読み取り手段とを備え、前記制御手段は、休止モードにおいて前記原稿台に原稿がセットされた際には、通常動作モードに移行させる前項１〜４のいずれかに記載の画像形成装置。
（６）前記第１表示パネルは、ドットマトリックスモノクロ液晶パネルで構成される一方、前記第２表示パネルは、大形の液晶カラータッチパネルで構成されている前項１〜５のいずれかに記載の画像形成装置。
（７）消費電力の相対的に少ない小形の第１表示パネルと、消費電力の相対的に多い大形の第２表示パネルと、を備えた画像形成装置が実行する表示制御方法であって、前記表示パネルの表示モードに応じて両表示パネルのＯＮ／ＯＦＦを選択制御するとともに、表示モードが通常動作モードの場合は、第１表示パネルをＯＮにする一方、第２表示パネルをＯＦＦにし、多くの情報を表示する必要のある詳細表示モードの場合は、第１表示パネルをＯＦＦにする一方、第２表示パネルをＯＮにし、休止モードの場合は、第１および第２表示パネルの両方をＯＦＦにすることを特徴とする画像形成装置の表示制御方法。
（８）消費電力の相対的に少ない小形の第１表示パネルと、消費電力の相対的に多い大形の第２表示パネルと、を備えた画像形成装置のＣＰＵに実行させるための表示制御プログラムであって、前記表示パネルの表示モードに応じて両表示パネルのＯＮ／ＯＦＦを選択制御するとともに、表示モードが通常動作モードの場合は、第１表示パネルをＯＮにする一方、第２表示パネルをＯＦＦにし、多くの情報を表示する必要のある詳細表示モードの場合は、第１表示パネルをＯＦＦにする一方、第２表示パネルをＯＮにし、休止モードの場合は、第１および第２表示パネルの両方をＯＦＦにするステップを、画像形成装置のＣＰＵに実行させるための表示制御プログラム。
【発明の効果】
【００１１】
前項（１）に記載の発明によれば、通常動作モードでは、大形の第２表示パネルがＯＦＦになり、小形の第１表示パネルのみがＯＮになるから、情報表示状態での電力消費が抑制される。また、情報の詳細を表示する場合には、詳細表示モードに移行して第１表示パネルがＯＦＦになる一方、第２表示パネルがＯＮになるので、大形の第２表示パネルで容易に詳細情報を把握でき、また、休止モードでは、第１および第２表示パネルの両方がＯＦＦになるから、電力が無駄に消費されることはない。
【００１２】
つまり、大小の表示パネルのＯＮ／ＯＦＦ状態が使用状況に応じて随時切替え制御されるから、表示パネルの情報表示機能や操作性を良好に維持しつつ、最大限の省電力化を達成することができる。
【００１３】
前項（２）に記載の発明によれば、通常動作モードまたは休止モードにおいて、第２表示パネル制御ボタンが押下されると、第２表示パネルがＯＮになって詳細モードに移行するので、表示対象の情報が詳細に大形画面で表示され、情報の把握が分かりやすくなるのみならず、画面を使っての入力も簡易に行える。
【００１４】
前項（３）に記載の発明によれば、通常動作モードでモード切替え操作ボタンが操作されると、コピーモード、ファックスモード、スキャンモードおよびボックス保存モードを切替えることができ、選択されたモードでの実行を速やかに指示することができる。
【００１５】
前項（４）に記載の発明によれば、通常動作モードで前記パワーセーブ操作ボタンが操作された時、または、一定期間使用しない状態が継続した時には休止モードになり、表示パネルでの無駄な電力消費が回避される。
【００１６】
前項（５）に記載の発明によれば、休止モードで原稿台に原稿がセットされた際には、通常動作モードになり、原稿コピー等の設定等を画面上から速やかに行える。
【００１７】
前項（６）に記載の発明によれば、第１表示パネルがドットマトリックスモノクロ液晶パネルで構成されているから、基本的な情報を少ない電力消費で表示でき、また、第２表示パネルが大形の液晶カラータッチパネルで構成されているから、詳細情報に適したカラー表示状態で各種設定や選択操作等が容易に行える。
【００１８】
前項（７）に記載の発明によれば、大小の表示パネルのＯＮ／ＯＦＦ状態が使用状況に応じて随時切替え制御されるから、表示パネルの情報表示機能や操作性を良好に維持しつつ、最大限の省電力化を達成することができる。
【００１９】
前項（８）に記載の発明によれば、表示パネルの表示モードに応じて両表示パネルのＯＮ／ＯＦＦを選択制御するとともに、表示モードが通常動作モードの場合は、第１表示パネルをＯＮにする一方、第２表示パネルをＯＦＦにし、多くの情報を表示する必要のある詳細表示モードの場合は、第１表示パネルをＯＦＦにする一方、第２表示パネルをＯＮにし、休止モードの場合は、第１および第２表示パネルの両方をＯＦＦにする処理を、画像形成装置のＣＰＵに実行させることができる。
【図面の簡単な説明】
【００２０】
【図１】この発明の一実施形態に係る画像形成装置であるＭＦＰを備えた画像処理システムを示す概略構成図である。
【図２】ＭＦＰの電気的構成を示すブロック図である。
【図３】同じくＭＦＰの操作パネル部を示す平面図である。
【図４】詳細表示モード時に表示パネルに表示されるコピー設定画面の例を示す図である。
【図５】操作パネル部における第１表示パネルと第２表示パネルの動作モードを示す表である。
【図６】操作パネル部における第１表示パネルと第２表示パネルの動作モードの状態遷移図である。
【図７】操作パネル部におけるモード切替えボタンを押下する毎に第１表示パネルに順次表示されるモードの例を示す図である。
【図８】（Ａ）は表示パネルにおける通常動作モード時の状態を示す図、（Ｂ）は表示パネルにおける詳細表示モード時の状態を示す図、（Ｃ）は表示パネルにおける休止モード時の状態を示す図である。
【図９】一つの表示パネルを二つの表示領域に分割した例を示す平面図でる。
【図１０】（Ａ）は図９の場合において、表示パネルにおける通常動作モード時の状態を示す図、（Ｂ）は図９の場合において、表示パネルにおける詳細表示モード時の状態を示す図、（Ｃ）は図９の場合において、表示パネルにおける休止モード時の状態を示す図である。
【図１１】プリンタモデルから進化させたＭＦＰにおける表示パネルの適用例の説明図である。
【図１２】プリンタモデルにおける表示パネルの説明図である。
【図１３】第１および第２表示パネルの表示制御処理を示すフローチャートである。
【発明を実施するための形態】
【００２１】
以下、この発明の一実施形態を図面に基づいて説明する。
【００２２】
図１は、この発明の一実施形態に係る画像形成装置としてのＭＦＰを備えた画像処理システムを示す概略構成図である。
【００２３】
図１において、この画像処理システムは、例えばＭＦＰ１と、ユーザ端末の一例であるパーソナルコンピュータ（ＰＣという）２とを備えている。これら両者１，２は、ＬＡＮ等のネットワーク３を介して接続されており、互いにデータの授受が行えるようになっている。
【００２４】
図２は、ＭＦＰ１の電気的構成を示すブロック図である。
【００２５】
図２において、このＭＦＰ１は、ＣＰＵ１１と、ＲＯＭ１２と、ＲＡＭ１３と、記憶部１４と、操作パネル部１５と、スキャナ部１６と、プリンタ部１７と、ネットワーク制御部１８と、ＦＡＸ制御部１９と、画像処理部２０と、電源制御部２１と、表示パネル制御部２２とを備えている。
【００２６】
前記ＣＰＵ１１は、ＭＦＰ１の全体の動作を統括的に制御するものである。
【００２７】
前記ＲＯＭ１２は、ＣＰＵ１１の動作プログラムを格納しているメモリである。
【００２８】
前記ＲＡＭ１３は、ＣＰＵ１１が動作プログラムを実行する際の動作領域を提供するメモリある。
【００２９】
前記記憶部１４は、各種のデータやソフトウェア等を記憶するものであり、この実施形態では、例えばハードディスク装置（ＨＤＤ）が使用されている。
【００３０】
前記操作パネル部１５は、図３に示すように、スタートキー、ストップキー、テンキー等の各種操作キーを有する操作キー部１６０の他に、液晶（ＬＣＤ）で構成されて、各種のメッセージ表示や設定画面を表示したり、設定のための入力が行える表示パネル１５０を備えている。
【００３１】
表示パネル１５０は、小形の第１表示パネル１５１と、大形の第２表示パネル１５２とからなり、第１表示パネル１５１は、消費電力が比較的少ないドットマトリクスモノクロ液晶パネルから構成される一方、第２表示パネル１５２は、多くの情報を表示・入力でき、第１表示パネルよりも相対的に消費電力の大きな大形液晶カラータッチパネルから構成されている。
【００３２】
なお、操作パネル部１５には、図３に示すように、モード切替えボタン４、パワーセーブボタン５、さらには、第２表示パネル制御ボタン６等が配備されている。
【００３３】
これら第１および第２表示パネル１５１，１５２の動作モードとしては、図５に示すように、通常動作モード、詳細表示モード、休止モードの３つのモードがあり、これらは、前記ＣＰＵ１１で切替え制御されるようになっている。
【００３４】
具体的には、前記ＣＰＵ１１は、通常動作モードでは、図５及び図８（Ａ）に示すように、第１表示パネル１５１のみをＯＮにして低消費電力状態で表示させる一方、第２表示パネル１５２をＯＦＦにするよう制御する。
【００３５】
また、詳細表示モードでは、図５及び図８（Ｂ）に示すように、第１表示パネルをＯＦＦ、第２表示パネルをＯＮにして設定内容の詳細確認、変更操作およびジャム等のトラブルに対する対処方法のヘルプ表示等を行う。
【００３６】
この詳細表示モードでは、例えば図４に示すようなコピー時の設定画面Ｇ１が表示され、設定画面Ｇ１中には、例えば「カラー」、「用紙」、「倍率」、「両面／片面」等の選択・設定項目が表示されている。
【００３７】
休止モードでは、図５及び図８（Ｃ）に示すように、第１表示パネル１５１と第２表示パネル１５２の両方をＯＦＦとして、パワーセーブモードに移行し、何も表示させない。なお、パワーセーブモードとは、電力消費を抑えるために、必要最小限の部分にのみ給電される状態をいう。
【００３８】
第１表示パネル１５１における表示は、前記モード切替えボタン４を押下する毎に、例えば図７に示すように、「コピーモード」、「ファックスモード」、「スキャンモード」、「ボックス保存モード」、「メッセージ表示」等が順次切替えられるようになっている。
【００３９】
前記スキャナ部１６は、図示しない原稿台を有し、原稿台上にセットされた原稿の画像を読み取り、電気信号である画像データを送出するものである。
【００４０】
前記プリンタ部１７は、スキャナ部１６で読み取られた原稿の画像データや、ＰＣ２から送信されたプリントデータ等を所定のジョブ条件に従って印刷するプリントエンジン機能を備えている。
【００４１】
前記ネットワーク制御部１８は、ネットワーク３を介してＰＣ２等の外部装置との間でデータの授受を司るものであり、受信部１８１と送信部１８２とを備えている。
【００４２】
前記ＦＡＸ制御部１９は、ＦＡＸ機能の実行を制御するものであり、受信部１９１と送信部１９２とを備えている。
【００４３】
前記画像処理部２０は、スキャナ部１６で読み取られた原稿の画像データ等に対して所定の画像処理を実行するものである。
【００４４】
前記電源制御部２１は、ＣＰＵ１１の指令に基づいて、表示パネル１５０の電源ＯＮ及びＯＦＦを制御するものである。
【００４５】
前記表示パネル制御部２２は、ＣＰＵ１１の指令に基づいて、表示パネル１５０の表示内容を制御するものである。
【００４６】
つぎに、各モードの遷移条件について、図６の動作モードの状態遷移図を参照して説明する。
【００４７】
図６において、まず、ＭＦＰ１の起動時には、各部の初期化が行われており、操作を受け付けない状態であり、詳細情報の表示も必要がないため、通常動作モード（第１表示パネル１５１がＯＮ、第２表示パネル１５２がＯＦＦ）の状態に遷移させ、第１表示パネル１５１には、図７の「メッセージ表示」に示すような「Initializing ・・・」というメッセージを表示する。
【００４８】
ついで、初期化後の操作指示待ちの状態でも通常動作モードの状態のまま、図７に示す現在の動作モード（「コピーモード」、「ファックスモード」、「スキャンモード」、「ボックス保存モード」）を表示する。この状態では、テン・キーによる入力を受付け、例えば「コピーモード」の状態では、印刷部数等の入力が可能となる。
【００４９】
「ファックスモード」では、ファックス（電話）番号の入力が可能となり、「スキャンモード」では予め登録されたメールの短縮宛先番号が入力が可能となる。また、「ボックス保存モード」では、ボックス番号の入力が可能となる。
【００５０】
従って、通常動作モードでコピーを行う場合、「等倍片面コピー」等の単純コピーでは、第２表示パネル１５２を非表（ＯＦＦ）で、第１表示パネル１５１のみでの表示動作となるので、消費電力を有効に低減することができる。
【００５１】
つぎに、詳細な設定を行いたい場合には、第２表示パネル制御ボタン６を押下して、詳細表示モード（第１表示パネル１５１がＯＦＦ、第２表示パネル１５２がＯＮ）の状態に遷移させ、第２表示パネル１５２上で種々の設定を行い、コピーを行うことができる。大形の第２表示パネル１５２に情報がカラー表示されるから、設定操作等を行いやすくなる。
【００５２】
詳細表示モードの状態で第２表示パネル制御ボタン６が押下されるか、一定時間、ユーザーによる操作がない場合には、通常動作モードに状態遷移されて、第２表示パネル１５２の表示がＯＦＦされるので、電力の消費が抑えられる。
【００５３】
また、通常動作モードの状態でパワーセーブボタン５が押下されるか、一定時間、ユーザによる操作がない場合には、休止モード（第１、第２表示パネル１５１，１５２がＯＦＦ）の状態に遷移させ、第１表示パネル１５１の表示を止めることにより、表示パネル１５０からの電力の消費をなくすことができる。
【００５４】
休止モードの状態で、ユーザが原稿台に原稿をセットした時には、通常動作モードの状態に遷移させて操作待ちとする。もしくは、パワーセーブボタン５の押下により、通常動作モードの状態に遷移してもよい。
【００５５】
また、通常動作モードの状態で、もしも印刷時に紙詰まり等が発生した場合には、エラー発生として詳細表示モードの状態に遷移させ、ユーザーに分かりやすいように第２表示パネル１５２に紙詰まり位置等を図示する。なお、ユーザにより紙の取り除き作業が終了すれば、再度、通常動作モードの状態に遷移させ、再度印刷を行う。
【００５６】
また、休止モードの状態で、第２表示パネル制御ボタン６が押下されると、詳細表示モードに遷移し、詳細表示モードの状態でパワーセーブボタン５が押下されると休止モードに遷移するものとなされている
このように、通常動作モードでは、大形の第２表示パネル１５２がＯＦＦになり、小形の第１表示パネル１５１のみがＯＮになるから、情報表示状態での電力消費が抑制される。
【００５７】
そして、情報の詳細を表示したい場合には、詳細表示モードに移行して第１表示パネル１５１がＯＦＦになる一方、第２表示パネル１５２がＯＮになるので、大形の第２表示パネル１５２で容易に詳細情報を把握できる。
【００５８】
また、休止モードでは、第１および第２表示パネル１５１，１５２の両方がＯＦＦになるから、電力が無駄に消費されることはない。つまり、大小の表示パネルのＯＮ／ＯＦＦ状態が使用状況に応じて随時切替え制御されるから、表示パネル１５の情報表示機能を良好に維持しつつ、省電力化に大きく貢献することが可能となる。
【００５９】
ところで、上記実施形態では、表示パネル１５０の実装方法として、第１の表示パネル１５１と第２の表示パネル１５２の二つを設けた例で説明したが、これに限らず、例えば図９に示すように、１つの表示パネル１５０において、表示領域を複数、例えば下側の第１の表示パネル１５１の領域と上側の第２の表示パネル１５２の領域とに２分割し、それぞれを個別に表示制御する機能を持たせるようにしてもよい。
【００６０】
図９に例示する表示パネル１５０では、上側の第２の表示パネル１５２に限ってバックライトを備えてあり、下側の第１の表示パネル１５１の領域には、反射形の液晶パネルが使用されている。
【００６１】
この場合、動作モードに応じて表示領域の動作を制限し、表示内容を限定することにより、表示パネル１５０での消費電力を抑制することができる。即ち、通常動作モードでは図１０（Ａ）に示すように、下側の第１の表示パネル１５１の領域をＯＮにして表示を行い、上側の第２の表示パネル１５２の領域はＯＦＦとし、詳細表示モードでは、図１０（Ｂ）に示すように、下側の第１の表示パネル１５１の領域をＯＦＦとし、上側の第２の表示パネル１５２の領域をＯＮにして詳細な表示を行う。また、休止モードでは、図１０（Ｃ）に示すように、下側の第１の表示パネル１５１の領域も、上側の第２の表示パネル１５２の領域も、いずれもＯＦＦにする。
【００６２】
また、上記実施形態では、ＭＦＰ１の操作パネル部１５における表示パネル１５０として、二つの表示パネル１５１，１５２を実装した例で説明したが、この表示パネル１５０の実装方法としては、これに限定されるものではない。
【００６３】
例えば、図１２に示すプリンタ１００のモデルにスキャナ部や原稿台等を含む操作体部１０１を搭載することにより、該プリンタ１００のモデルを進化させて図１１に示すようなＭＦＰ１１のモデルを製作する場合がある。その場合、プリンタ１００のモデルにおける表示パネル１５１はそのままにして、第１の表示パネルとして用い、新たに製作したＭＦＰ１１用の操作体部１０１の操作パネル部１５における表示パネル１５０を第２の表示パネルとして用いることも可能である。
【００６４】
図１３は、第１および第２表示パネル１５１、１５２の表示制御処理を示すフローチャートである。
【００６５】
図１３において、ＭＦＰ１の電源が投入されると、ステップＳ１では、初期化処理を行い、ステップＳ２では、通常動作モードの表示処理となる。
【００６６】
ステップＳ３では、通常動作モードにおいて、操作が行われたか否かを判断し、操作が行われなければ（ステップＳ３でＮＯ）、ステップＳ１２に進む。操作が行われると（ステップＳ３でＹＥＳ）、ステップＳ４では、第２表示パネル制御ボタン６の操作か否かを判断する。
【００６７】
第２表示パネル制御ボタン６の操作であれば（ステップＳ４でＹＥＳ）、ステップＳ５では、詳細表示モードとなる。第２表示パネル制御ボタン６の操作でなければ（ステップＳ４でＮＯ）、ステップＳ９に進む。
【００６８】
ステップＳ６では、詳細表示モードにおいて、操作が行われたか否かを判断し、操作が行われなければ（ステップＳ６でＮＯ）、ステップＳ１１に進む。操作が行われると（ステップＳ６でＹＥＳ）、ステップＳ７では、その操作はパワーセーブボタン５の操作か否かを判断し、パワーセーブボタン５の操作であれば（ステップＳ７でＹＥＳ）、ステップＳ１３の休止モードに遷移する。
【００６９】
パワーセーブボタン５の操作でなければ（ステップＳ７でＮＯ）、ステップＳ８では、詳細表示モードで第２制御ボタン６の操作であるか否かを判断する。第２制御ボタン６の操作であれば（ステップＳ８でＹＥＳ）、ステップＳ２に戻って通常動作モードに遷移し、第２表示パネル制御ボタン６の操作でなければ（ステップＳ８でＮＯ）、そのままステップＳ５に戻って、詳細表示モードを維持する。
【００７０】
通常動作モードにおいて、ステップＳ９では、ステップＳ３で行われた操作がパワーセーブボタン５の操作か否かを判断し、パワーセーブボタン５の操作であれば（ステップＳ９でＹＥＳ）、ステップＳ１３の休止モードに遷移し、パワーセーブボタン５の操作でなければ（ステップＳ９でＮＯ）、ステップＳ１０に進む。
【００７１】
ステップＳ１０では、紙詰まり等のエラー表示の必要があるかどうかを判断し、エラー表示の必要があれば（ステップＳ１０でＹＥＳ）、ステップＳ５の詳細表示モードに遷移し、エラー表示でなければ（ステップＳ１０でＮＯ）、ステップＳ２に戻り、通常動作モードを維持する。
【００７２】
詳細表示モードにおいて、ステップＳ１１では、一定時間が経過したか否かを判断し、一定時間が経過すれば（ステップＳ１１でＹＥＳ）、ステップＳ２に戻って通常動作モードに遷移し、一定時間が経過しなければ（ステップＳ１１でＮＯ）、ステップＳ５に戻って詳細表示モードを維持する。
【００７３】
通常動作モードにおいて、ステップＳ１２では、一定時間が経過したか否かを判断し、一定時間が経過すれば（ステップＳ１２でＹＥＳ）、ステップＳ１３で休止モードに遷移したのち、ステップＳ１４に進む。一定時間が経過しなければ（ステップＳ１２でＮＯ）、ステップＳ２に戻って通常動作モードを維持する。
【００７４】
休止モードにおいて、ステップＳ１４では、操作が行われたか否かを判断し、操作が行われなければ（ステップＳ１４でＮＯ）、ステップＳ１３に戻る。操作が行われると（ステップＳ１４でＹＥＳ）、ステップＳ１５では、第２表示パネル制御ボタン６の操作か否かを判断する。
【００７５】
第２制御ボタン６の操作であれば（ステップＳ１５でＹＥＳ）、ステップＳ５の詳細表示モードに遷移し、第２表示パネル制御ボタン６の操作でなければ（ステップＳ１５でＮＯ）、ステップＳ１６に進む。
【００７６】
ステップＳ１６では、パワーセーブボタン５の操作であるか否かを判断し、パワーセーブボタン５の操作であれば（ステップＳ１６でＹＥＳ）、ステップＳ２に戻って通常動作モードに遷移し、パワーセーブボタン５の操作でなければ（ステップＳ１６でＮＯ）、ステップＳ１７に進む。
【００７７】
ステップＳ１７では、原稿がセットされたか否かを判断し、原稿がセットされると（ステップＳ１７でＹＥＳ）、ステップＳ２に戻って通常動作モードに遷移し、原稿がセットされていなければ（ステップＳ１７でＮＯ）、ステップＳ１３に戻って休止モードを維持する。
【符号の説明】
【００７８】
４・・・モード切替え操作ボタン
５・・・パワーセーブ操作ボタン
６・・・第２表示パネル制御ボタン
１１・・・制御手段
１５１・・・第１表示パネル
１５２・・・第２表示パネル
【図１】
2010164781.tif 000003
【図２】
2010164781.tif 000004
【図３】
2010164781.tif 000005
【図４】
2010164781.tif 000006
【図５】
2010164781.tif 000007
【図６】
2010164781.tif 000008
【図７】
2010164781.tif 000009
【図８】
2010164781.tif 000010
【図９】
2010164781.tif 000011
【図１０】
2010164781.tif 000012
【図１１】
2010164781.tif 000013
【図１２】
2010164781.tif 000014
【図１３】
2010164781.tif 000015